(57)【要約】【課題】最近ではピッキング、カム送り、サムターン回し等の錠破りが多発している。マンションやアパートの玄関扉の多くに取り付けてあるドアガードを使って、それらの錠破りを防止できれば新たに防止対策の必要が無くなり、ドアガードの有効利用も可能となる。また、ドアガードは扉が勢いよく閉じると勝手に掛かってしまい、室内に人がいないと室内に入れなくなる。その２つを解決する事が課題である。【解決手段】ドアガードが掛かった状態で、ドアガードを固定して扉が動かなくするドアガードのロック機構をドアガードに追加して設ける事で、ドアガードに内締まり錠の機能を持たせた。ドアガードが勝手に掛かる事を防止する為に、ドアガードに掛かり防止機能を追加して設けた。【選択図】  図１
2005036402.tif 000002
【特許請求の範囲】
【請求項１】
ドアガードのストッパー（６）の台座（１０）にガードロック（８）を組み付け、ガードバー（３）にガードストッパー（４）を設け、扉（１）を閉じてガードバーを起こし、扉をガード状態にした後でガードロックを施錠位置に移動させると、ガードストッパーがガードロックに引掛かって扉を開ける事ができない事を特徴とするドアガードのロック機構。
【請求項２】
ガードロック（８）をストッパー（６）の台座（１０）から切り離し、別にガードロックの台座を設け、ストッパーとガードロックを並べて取り付けた請求項１記載のドアガードのロック機構。
【請求項３】
ドアガードのストッパー（６）の台座（１０）にガードロック（８）を組み付け、ガードバー（３）を起こさずにガードロックを施錠位置に移動させると、ガードバーを起こしても扉がガード状態にならない事を特徴とするドアガードの掛かり防止機構。
【請求項４】
ガードロック（８）をストッパー（６）の台座（１０）から切り離し、別にガードロックの台座を設け、ストッパーとガードロックを並べて取り付けた請求項３記載のドアガードの掛かり防止機構。
【発明の詳細な説明】
【０００１】
【発明の属する技術分野】
来訪者に対して扉を少し開けて応対する時のドアガードに関する。
【０００２】
【従来の技術】
来訪者に対して扉を１０センチメートル程開けて応対し、来訪者が無理に扉を開けようとしてもそれ以上開かずに扉をガードし、扉を閉じないとガード状態を解除できない金具にドアチェーンとドアガードが有る。ドアガード錠は合鍵やサムターンの操作で施と解を行なうもので原理はドアガードと同じである。
【０００３】
【発明が解決しようとする課題】
課題は２つである。１つはドアガードを使って錠と同様に施錠状態を確保する事である。理由は、ピッキングや合い鍵を使って室外から錠を解錠された時に扉を開けられなくする事である。扉が開けられてしまうと掛かっているドアチェーンやドアガードを破壊し、又は取り外す事が可能な為である。
従来の室内側からのみ施・解錠ができ、室外からは操作できない内締まり錠と同じ機能をドアガードに追加したいのである。
【０００４】
あと１つは、ドアガードは扉を勢いよく閉じた時に反動でドアガードが勝手に掛かってしまう事である。その時に室内に人がいなければドアガードを解除する事ができない。私も２度経験している。
その不用意にドアガードが掛かってしまうのを防止する事である。
【０００５】
【課題を解決するための手段】
ドアガードを掛けた状態で、扉を閉じた位置でドアガードを固定する事ができれば扉を動かす事ができない。すなわち扉を施錠位置から開く事ができない。
従来のドアガードは掛けた状態でストッパーがガードバーの溝に納まり、溝の長さの範囲で扉を開く事ができる。その溝を埋めてしまえば扉を開く事ができなくなる。
又はガードバーに突起や段差を設け、突起や段差をストッパーで引掛ければ扉を開く事ができなくなる。
図１で示したものはガードバーに突起を設け、扉を閉じてガードバーをガード状態にしてガードロックを施錠位置に動かすと、ガードバーがガードロックで固定されて扉が開かなくなる。
【０００６】
ガードバーが勝手に動き、勝手にガード状態にならないようにする為にはガードバーがストッパーに掛からなくすれば良い。
図１で示したものは平時にガードロックを施錠位置にしておけば、誤ってガードバーが動いてしまってもガードバーがガードロックに当たって止まり、ガードバーがストッパーに掛かるのを防止する。
【０００７】
図の製品は請求項１記載のドアガードのロック機構と、請求項３記載のドアガード掛かり防止機構の両方を１個で実現したものである。
【０００８】
【発明の実施の形態】
請求項１記載の機構を図１に基づいて説明する。
図１がドアガードを掛けた状態である。ガードバー（３）のＵの字形溝の中にストッパー（６）が納まり、ストッパーはガードバーの溝の長さ分だけ移動する事ができる。すなわちガードバーの溝の長さ分だけ扉を開ける事ができる。
【０００９】
図１の状態で操作レバー（９）を施錠位置に押し下げれば、ガードロック（８）が下りてガードバー（３）が外れるのを防止するとともに、ガードバーに設けたガードストッパー（４）が扉を開ける時にガードロックに当たる事で扉を開ける事ができない。
発明のロック機構を持つドアガードは、１個で扉のドアガードと施錠の両方の機能を持つのが特徴である。図３がガードバーを施錠位置に押し下げた状態のストッパー（６）とガードロック（８）のユニットの図である。
【００１０】
図１で請求項３記載のドアガード掛かり防止機構を説明する。ドアガードを掛ける必要の無い時、例えば外出する時等はドアガードを掛けずに操作レバー（９）を押し下げてガードロック（８）を施錠位置にしておく事で、扉が勢いよく閉じて反動でガードバー（３）が動いてもガードバーはガードロックに当たり、勝手に掛かる事が無い。
図３がガードロック（８）を施錠位置にして、ドアガードの掛かりを防止する状態としたストッパー（６）とガードロック（８）のユニットの図である。
【００１１】
図４でドアガード状態、施錠状態、掛かり防止状態を説明する。
Ｃがガードロックが掛かっていない解錠状態であり、ドアをガードした状態である。この状態ではストッパー（６）がガードバー（３）の溝の中で動く事が可能であり、扉はガードバーの溝の長さ分だけ聞く事ができる。すなわち従来のガード状態である。
Ａがガードロック（８）を掛けた施錠状態である。この状態では扉を開こうとしても、ガードバー（３）に設けたガードストッパー（４）がガードロック（８）に引掛かって扉を開ける事ができない。すなわち施錠状態である。
【００１２】
Ｂがガードバーを起こさず、ガード状態としないでガードロック（８）を施錠位置にしたドアガードの掛かりを防止する状態である。
扉を勢いよく閉じた時にガードバー（３）が反動で勝手に動いても、ガードバーはガードロック（８）に当たって止まり、ガード状態にならない。
【００１３】
図で示したものは１個でドアガードの施錠と掛かり防止を行なうものである。
ガードバー（３）にガードストッパー（４）を設けなければ掛かり防止のみとなる。
施錠と掛かり防止を個別の金具で行なっても良いが、施錠と掛かり防止を同時に行なう必要性は無く、よって１個に両方の機能を持たせた方がムダが無い。
【００１４】
【発明の効果】
マンションやアパートの玄関扉の多くにドアガードが設けてある。２０年程前まではドアチェーンが多かったが、現在はドアガードが多くなっている。
最近ではピッキングや合鍵を使った錠破りや、カム送りやサムターン回しの錠破りが多発している。
女性や老人世帯では施錠した扉の防犯が不安の種である。
その為には玄関扉を施錠する錠は多い程安心が高まる。
ドアガードを錠として利用する事でその分安心が増す。
【００１５】
ドアガードを錠として使った場合、ドアガードを室外からピッキングや合鍵による解錠ができない。
カム送りの技術も使えず、サムターン回しの技術も効果が小さい。
室外から扉の錠を全部解錠できても、ドアガードが施錠状態となっていれば扉を開く事ができず、防犯には有効な武器となる。
【００１６】
室内に人がいない状態で、外出時に扉が風等によって勢いよく閉じ、反動でドアガードが動いて勝手に掛かってしまう事がある。
素人ではドアガードの破壊も解除もできず、専門の業者に頼む事となる。
ドアガードを破壊や解放して扉を開けるまで室内に入れなくなる。
ドアガードに掛かり防止機構を設ける事で、ドアガードが勝手に掛かってしまうのを防止する事ができる。
【図面の簡単な説明】
【図１】請求項１と３記載の機構を併せ持つドアガードをガード状態にした斜視図である。
【図２】図１を上から見下ろした図である。
【図３】ストッパーの台座にガードロックを組み付けたユニットの施錠状態位置の斜視図である。
【図４】Ａ．図２方向からの図で、ドアガードの施錠状態を示す。
Ｂ．ドアガードの掛かり防止状態を示す。
Ｃ．ドアガード状態を示す。
【符号の説明】
１  扉
２  枠
３  ガードバー
４  ガードストッパー
５  ガードバー回転軸
６  ストッパー
７  ガードロックガイド
８  ガードロック
９  操作レバー
１０  台座
１１  台座
【図１】
2005036402.tif 000003
【図２】
2005036402.tif 000004
【図３】
2005036402.tif 000005
【図４】
2005036402.tif 000006